(57)【特許請求の範囲】
【請求項１】
第１筐体と、
第２筐体と、
前記第１筐体と前記第２筐体とを連結し、内径が略一定の筒部を有したヒンジと、
前記筒部の外部に位置した第１部分と、該第１部分よりも太く形成され、前記筒部内に位置して前記筒部の内面に接した第２部分とを有したケーブルと、を備え、
前記筒部の内面は、導電性を有してグランドに電気的に接続されており、
前記ケーブルは、複数の電線と、該複数の電線を囲む前記第１部分及び前記第２部分に亘って設けられたカバーとを有し、
前記カバーは、前記複数の電線をシールドする導電性を有し、前記第２部分で前記筒部の内面に接して前記ヒンジを通じてグランドに電気的に接続された電子機器。
【請求項２】
請求項１に記載の電子機器において、
前記ケーブルの第２部分と前記筒部の内面との間には、前記ケーブルの第２部分が前記筒部から抜けることを抑制する摩擦力が作用する電子機器。
【請求項３】
請求項１または請求項２に記載の電子機器において、
前記カバーは、前記電線に対して螺旋状に巻かれた導電布である電子機器。
【請求項４】
請求項１乃至請求項３のいずれかに記載の電子機器において、
前記ケーブルは、前記第２部分で前記複数の電線の外周面に取り付けられた支持部材を有し、
前記カバーは、前記支持部材の外周面と前記第１部分における前記複数の電線の外周面とに亘って延びて前記第１部分と前記第２部分との間にスロープを形成した電子機器。
【請求項５】
請求項４に記載の電子機器において、
前記支持部材は、前記複数の電線の外周面に巻かれたテープである電子機器。
【請求項６】
請求項１乃至請求項５のいずれかに記載の電子機器において、
前記第１筐体に収容されたモジュールをさらに備え、
前記ケーブルは、前記第１筐体内で前記モジュールに電気的に接続されたコネクタを有し、
前記第１筐体は、導電性の内面を有し、
前記第１部分は、前記コネクタと前記第２部分の間に位置し、前記第１筐体の内面に接して前記第１筐体を通じてグランドに電気的に接続された電子機器。
【請求項７】
請求項１乃至請求項６のいずれかに記載の電子機器において、
前記ケーブルの外周面には、前記第２部分が前記筒部内に位置した状態で前記筒部の端部に略揃うマークが設けられた電子機器。
【請求項８】
請求項６に記載の電子機器において、
前記ケーブルの第２部分と前記筒部の内面との間には、前記ケーブルの第２部分が前記筒部から抜けることを抑制する摩擦力が作用しており、
前記第１部分は、前記第２部分及び前記コネクタによって位置ずれが抑制された状態で前記第１筐体の内面に押し付けられた電子機器。
【請求項９】
導電性の内面を有した第１筐体と、
第２筐体と、
前記第１筐体と前記第２筐体とを連結し、内径が略一定の筒部を有したヒンジと、
前記筒部の外部に位置した第１部分と、該第１部分よりも太く形成され、前記筒部内に位置して前記筒部の内面に接した第２部分と、前記第１筐体内に固定されたコネクタとを有したケーブルと、を備え、
前記ケーブルは、複数の電線と、該複数の電線を囲む少なくとも前記第１部分に設けられた導電性のカバーとを有し、
前記ケーブルの第２部分と前記筒部の内面との間には、前記ケーブルの第２部分が前記筒部から抜けることを抑制する摩擦力が作用しており、
前記第１部分は、前記コネクタと前記第２部分の間に位置し、該第２部分及び該コネクタによって位置ずれが抑制された状態で前記第１筐体の内面に押し付けられて該第１筐体を通じてグランドに電気的に接続された電子機器。
【請求項１０】
請求項９において、
前記第１部分は、前記ヒンジと前記コネクタとの間で反対側に折れ曲げられた曲部を有し、該曲部において前記第１筐体の内面に押し付けられて前記第１筐体を通じてグランドに電気的に接続された電子機器。
【発明の詳細な説明】
【技術分野】
【０００１】
本発明の実施形態は、電子機器に関する。
【背景技術】
【０００２】
グロメットに通されたケーブルを有した電線組立体が提供されている。
【先行技術文献】
【特許文献】
【０００３】
【特許文献１】特開２００８−１７１５９２号公報
【発明の概要】
【発明が解決しようとする課題】
【０００４】
電子機器は、組立性の向上が要望されている。【０００５】
本発明の目的の一つは、組立性の向上を図ることができる電子機器を提供することである。
【課題を解決するための手段】
【０００６】
実施形態によれば、電子機器は、第１筐体と、第２筐体と、前記第１筐体と前記第２筐体とを連結して筒部を有したヒンジと、ケーブルとを備える。前記ケーブルは、前記筒部の外部に位置した第１部分と、該第１部分よりも太く形成され、前記筒部内に位置して前記筒部の内面に接した第２部分とを有する。
【図面の簡単な説明】
【０００７】
【図１】第１実施形態に係る電子機器の斜視図。
【図２】図１中に示されたヒンジ及びケーブルの斜視図。
【図３】図１中に示されたヒンジ及びケーブルの斜視図。
【図４】図１中に示されたケーブルの平面図。
【図５】図３中に示されたヒンジ及びケーブルの断面図。
【図６】図１中に示された電子機器の筐体内部の下面図。
【図７】図６中に示された電子機器のＦ７線で囲まれた部分の下面図。
【図８】第２実施形態に係るヒンジ及びケーブルの断面図。
【発明を実施するための形態】
【０００８】
以下、実施の形態について、図面を参照して説明する。  
なお本明細書では、いくつかの要素に複数の表現の例を付している。なおこれら表現の例はあくまで例示であり、上記要素が他の表現で表現されることを否定するものではない。また、複数の表現が付されていない要素についても、別の表現で表現されてもよい。
【０００９】
（第１実施形態）  
図１乃至図７は、第１実施形態に係る電子機器１を示す。図１に示すように、本実施形態に係る電子機器１は、例えばノートブック型ポータブルコンピュータ（ノートＰＣ）である。なお、本実施形態が適用可能な電子機器は、上記例に限られない。本実施形態は、例えばテレビジョン受像機、タブレット型（スレート型）のポータブルコンピュータ、携帯電話（スマートフォンを含む）、ゲーム機など種々の電子機器に広く適用可能である。
【００１０】
図１に示すように、電子機器１は、第１筐体２、第２筐体３、及びヒンジ４ａ，４ｂを有する。第１筐体２は、例えば本体筐体である。第１筐体２は、例えばメインボードとしての回路基板５が収容されている。回路基板５は、「第１モジュール」の一例である。なお、第１筐体２に収容された「モジュール」は、回路基板５に限らず、例えば無線ユニットやその他のモジュールでもよい。
【００１１】
第１筐体２は、下壁１１（底壁、第１壁）、上壁１２（第２壁）、及び周壁１３（側壁、第３壁）を有し、扁平な箱状に形成されている。なお本明細書では、ユーザーから見て、上下左右を定義している。また、ユーザーに近い方を「前」、ユーザーから遠い方を「後」と定義している。
【００１２】
下壁１１は、例えば電子機器１を机の上に置いた時に、その机上面（載置面、外部面、外部載置面）に向かい合う。下壁１１は、例えば複数の脚部１４（支持部）を有する。電子機器１が机の上に置かれた時、脚部１４は、机上面に接して電子機器１を支持する。
【００１３】
上壁１２は、下壁１１とは反対側に位置する。上壁１２は、例えば下壁１１と略平行に延びている。上壁１２は、例えば入力部１５（入力受付部）が設けられている。入力部１５の一例は、キーボードである。なお、入力部１５は、キーボードに限られず、例えばタッチパネル（タッチセンサ）やその他の入力装置でもよい。周壁１３は、上壁１２及び下壁１１とは交差した（例えば略直交した）方向に延び、下壁１１の周縁部と上壁１２の周縁部とを繋いでいる。
【００１４】
第１筐体２は、第１端部２ａと、第２端部２ｂとを有する。第１端部２ａは、例えば後端部である。第１端部２ａは、ヒンジ４ａ，４ｂが固定され（取り付けられ）、ヒンジ４ａ，４ｂが支持されている。第２端部２ｂは、第１端部２ａとは反対側に位置し、例えば前端部である。
【００１５】
図１に示すように、第１端部２ａは、凹部１６を有する。凹部１６は、入力部１５に向いて窪んでいる。換言すれば、第１端部２ａは、凹部１６の両側に、後方に向いて突出した一対の突出部１７ａ，１７ｂを有する。ヒンジ４ａ，４ｂは、突出部１７ａ，１７ｂに取り付けられている。
【００１６】
一方で、第２筐体３は、例えば表示筐体である。第２筐体３は、表示装置２１（表示モジュール、ユニット）が収容されている。表示装置２１の一例は、液晶表示装置であるが、これに限らない。表示装置２１は、画像や映像が表示される表示画面２１ａを有する。表示装置２１は、「第２モジュール」の一例である。なお、第２筐体３に収容された「モジュール」は、表示装置２１に限らず、例えばアンテナモジュールやその他のモジュールでもよい。
【００１７】
第２筐体３は、前壁２２（下壁、第１壁）、背壁２３（後壁、上壁、第２壁）、及び周壁２４（側壁、第３壁）を有し、扁平な箱状に形成されている。前壁２２は、表示画面２１ａが露出される開口部２２ａを有する。背壁２３は、前壁２２とは反対側に位置し、前壁２２と略平行に延びている。背壁２３は、表示装置２１の背面を覆う。周壁２４は、前壁２２及び背壁２３とは交差した（例えば略直交した）方向に延び、前壁２２の周縁部と背壁２３の周縁部とを繋いでいる。
【００１８】
第２筐体３は、第１端部３ａと、第２端部３ｂとを有する。第１端部３ａは、例えば下端部である。第１端部３ａは、ヒンジ４ａ，４ｂが固定され（取り付けられ）、ヒンジ４ａ，４ｂが支持されている。第２端部３ｂは、第１端部３ａとは反対側に位置し、例えば上端部である。
【００１９】
第２筐体３の第１端部３ａには、ヒンジカバー２５（カバー）が取り付けられている。ヒンジカバー２５は、ヒンジ４ａ，４ｂを覆う。ヒンジカバー２５は、前壁２２から前方に突出している。すなわち、ヒンジカバー２５は、第２筐体３の厚さ方向に突出した凸部を第２筐体３に形成している。ヒンジカバー２５で構成された凸部は、第１筐体２の凹部１６に位置する。
【００２０】
ヒンジ４ａ，４ｂは、第１筐体２の第１端部２ａと第２筐体３の第１端部３ａとを回動可能（開閉可能）に連結している。これにより、電子機器１は、開閉可能（変形可能、折り畳み可能）である。電子機器１は、第１状態と、第２状態との間で開閉される。
【００２１】
前記第１状態は、第１筐体２の上壁１２と第２筐体３の前壁２２とが重ねられ、電子機器１が閉じられた状態である。前記第１状態では、表示画面２１ａ及び入力部１５は、外部から隠される。一方で、前記第２状態は、第１筐体２に対して第２筐体３が回動され、電子機器１が開かれた状態である。前記第２状態では、表示画面２１ａ及び入力部１５は、外部に露出される。
【００２２】
次に、一方のヒンジ４ａについて詳しく説明する。なお、２つのヒンジ４ａ，４ｂは略同じ構成を有するため、他方のヒンジ４ｂの説明は省略する。  
図２及び図３に示すように、本実施形態に係るヒンジ４ａは、その内部にケーブル２７を通すことができる中空ヒンジである。詳しく述べると、ヒンジ４ａは、第１部材３１、第２部材３２、複数の皿ばね３３、及びストッパ３４を有する。
【００２３】
第１部材３１は、筒状に延びた中空の筒部３５と、該筒部３５の外周面に取り付けられた第１固定部３６とを有する。ケーブル２７は、筒部３５の内部に通される。第１固定部３６は、筒部３５に固定され、筒部３５と一体である。第１固定部３６は、第１筐体２（または第２筐体３）に固定される。第１固定部３６は、例えばねじ４０（図６参照）が通される複数の孔３６ａを有する。
【００２４】
第２部材３２は、第１部材３１の筒部３５の外径Ｄ１（図５参照）に対応した穴が設けられている。第２部材３２の穴には、第１部材３１の筒部３５が通される。第２部材３２は、該第２部材３２の穴に第１部材３１の筒部３５が通された状態で、筒部３５の周りを回動可能である。第２部材３２は、第２固定部３７を有する。第２固定部３７は、第２筐体３（または第１筐体２）に固定される。第２固定部３７は、例えばねじが通される複数の孔３７ａを有する。
【００２５】
図２及び図３に示すように、第１部材３１と第２部材３２とは、互いに接している。複数の皿ばね３３は、第１部材３１の筒部３５の外径Ｄ１に対応した穴が設けられている。皿ばね３３の穴には、第１部材３１の筒部３５が通される。複数の皿ばね３３は、該皿ばね３３の穴に第１部材３１の筒部３５が通された状態で、第２部材３２を第１部材３１に向けて押さえている。
【００２６】
ストッパ３４は、複数の皿ばね３３に対して、第２部材３２とは反対側に位置する。ストッパ３４は、複数の皿ばね３３が第２部材３２とは反対側に向いて筒部３５から外れないように支持する。このような構成により、第１部材３１と第２部材３２との間には、摩擦力（トルク）が作用する。このため、ヒンジ４ａは、第１筐体２に対して第２筐体３が起された状態で、第２筐体３の姿勢を維持することができる。
【００２７】
図１に示すように、電子機器１は、ケーブル２７（例えばハーネス）を有する。ケーブル２７は、ヒンジ４ａの筒部３５に通されて、第１筐体２の内部と第２筐体３の内部とに亘り延びている。ケーブル２７は、第１端部２７ａと、該第１端部２７ａとは反対側に位置した第２端部２７ｂとを有する。
【００２８】
ケーブル２７の第１端部２７ａは、第１筐体２内に位置する。ケーブル２７の第１端部２７ａには、第１コネクタ３８（第１端子）が取り付けられている。第１コネクタ３８は、第１筐体２内で第１モジュール（例えば回路基板５）に電気的に接続されている。
【００２９】
ケーブル２７の第２端部２７ｂは、第２筐体３内に位置する。ケーブル２７の第２端部２７ｂには、第２コネクタ３９（第２端子）が取り付けられている。第２コネクタ３９は、第２筐体３内で第２モジュール（例えば表示装置２１）に電気的に接続されている。
【００３０】
図２、図４、図５に示すように、ケーブル２７は、第１部分４１、第２部分４２、及び第３部分４３を有する。第１部分４１は、「細巻部（細径部）」の一例である。第１部分４１は、ヒンジ４ａの筒部３５の内径Ｄ２よりも細いとともに、筒部３５の外部に位置する。第１部分４１は、例えば第１筐体２内に延びている。第１部分４１の端部には、前述の第１コネクタ３８が取り付けられている。換言すれば、第１部分４１は、第１コネクタ３８と、第２部分４２との間に延びている。
【００３１】
第２部分４２は、「太巻部（太径部）」の一例である。第２部分４２は、第１部分４１よりも太く形成されている。図５に示すように、第２部分４２は、筒部３５内に位置して、筒部３５の内面３５ａ（内周面）に接する。
【００３２】
ここで、筒部３５は、例えば内径Ｄ２及び外径Ｄ１が略一定の円筒状である。筒部３５の内面３５ａは、ケーブル２７と略平行に延びている。第２部分４２は、例えば筒部３５の内径Ｄ２に対応した太さ（略同じ太さ）を有し、筒部３５の内面３５ａに接する。
【００３３】
ケーブル２７の第２部分４２は、例えばケーブル２７の径方向（筒部３５の径方向）、すなわち筒部３５の長手方向とは略直交した方向において、筒部３５の内面３５ａに接する。ケーブル２７の第２部分４２は、例えば弾性を有してもよい。
【００３４】
第２部分４２は、例えば筒部３５の内面３５ａの周方向の全領域（すなわち３６０度に亘る領域）で、筒部３５の内面３５ａに接する。なお、第２部分４２は、複数の所定箇所だけで筒部３５の内面３５ａに接してもよい。例えば、筒部３５の内面３５ａは、第１内面部３５ａａと、該第１内面部３５ａａとは反対側に位置した第２内面部３５ａｂとを有する。第２部分４２は、例えば第１内面部３５ａａと、第２内面部３５ａｂとにだけ接してもよい。また、第２部分４２は、３箇所以上の所定箇所だけで筒部３５の内面３５ａに接してもよい。
【００３５】
図２、図４、図５に示すように、第３部分４３は、「細巻部（細径部）」の別の一例である。第３部分４３は、筒部３５の内径Ｄ２よりも細いとともに、筒部３５の外部に位置する。第３部分４３は、例えば第１部分４１と略同じ太さを有する。第３部分４３は、例えば第２筐体３内に延びている。
【００３６】
第３部分４３の端部には、前述の第２コネクタ３９が取り付けられている。換言すれば、第３部分４３は、第２コネクタ３９と、第２部分４２との間に延びている。さらに換言すれば、第２部分４２は、第１部分４１と第３部分４３との間に位置し、第１部分４１及び第３部分４３よりも太く形成されている。
【００３７】
ここで、第１方向Ｘ及び第２方向Ｙを定義する。第１方向Ｘは、ケーブル２７の延びた方向（筒部３５の延びた方向）で、例えば第２部分４２から第１部分４１に向かう方向である。第２方向Ｙは、第１方向Ｘとは反対の方向である。すなわち、第２方向Ｙは、ケーブル２７の延びた方向（筒部３５の延びた方向）で、例えば第２部分４２から第３部分４３に向かう方向である。
【００３８】
図５に示すように、ケーブル２７の第２部分４２と筒部３５の内面３５ａとの間には、ケーブル２７の第２部分４２が筒部３５から抜けることを抑制する摩擦力が作用する。例えば、ケーブル２７の第２部分４２と筒部３５の内面３５ａとの間には、ケーブル２７が第１方向Ｘに引っ張られた際に摩擦力が作用する。また、ケーブル２７の第２部分４２と筒部３５の内面３５ａとの間には、ケーブル２７が第２方向Ｙに引っ張られた際に摩擦力が作用する。このため、ケーブル２７の第２部分４２は、ヒンジ４ａの筒部３５内で半固定された状態になる。
【００３９】
次に、ケーブル２７の構成の一例を説明する。  
図５に示すように、ケーブル２７は、複数の電線５１と、支持部材５２と、カバー５３とを有する。複数の電線５１は、ケーブル２７の第１乃至第３の部分４１，４２，４３に亘って延びている。すなわち、複数の電線５１は、第１コネクタ３８と第２コネクタ３９との間に延び、第１コネクタ３８と第２コネクタ３９とを電気的に接続する。
【００４０】
支持部材５２（スペーサ）は、ケーブル２７の第２部分４２に設けられている。支持部材５２は、複数の電線５１の外周面に取り付けられている。支持部材５２は、例えば複数の電線５１の外周面に複数回巻かれたテープで形成されている。テープの一例は、アセテートテープであるが、これに限定されるものではない。これにより、支持部材５２の外径Ｄ３は、複数の電線５１を束ねた太さＤ４よりも大きい。
【００４１】
図５に示すように、カバー５３（外皮、シールド、導電部、導電部材、グランド部、管）は、例えばケーブル２７の最外周に位置し、ケーブル２７の外周面を構成している。カバー５３は、ケーブル２７の第１乃至第３の部分４１，４２，４３に亘って設けられ、複数の電線５１及び支持部材５２を覆っている。
【００４２】
カバー５３は、複数の電線５１の外周面及び支持部材５２の外周面に取り付けられ、複数の電線５１の全周及び支持部材５２の全周を囲んでいる。カバー５３は、例えば導電性を有した導電布であり、上記複数の電線５１をシールドしている。
【００４３】
ここで、ヒンジ４ａは、例えば金属製である。ヒンジ４ａの筒部３５の内面３５ａは、導電性を有する。筒部３５の内面３５ａは、例えば第１筐体２のグランドに電気的に接続されている。なおこれに代えて、ヒンジ４ａは、例えば他の材料（例えば合成樹脂）で形成されるとともに、筒部３５の内面３５ａに導電性の塗装やメッキなどが施されることで、導電性の内面３５ａを有してもよい。
【００４４】
本実施形態では、導電性を有したカバー５３は、ケーブル２７の最外周に位置し、第２部分４２においてヒンジ４ａの筒部３５の内面３５ａに接している。これにより、カバー５３は、ヒンジ４ａの筒部３５の内面３５ａを介して、グランドに電気的に接続されている。これにより、カバー５３は、複数の電線５１からのノイズの放出を抑制するシールド効果を有する。
【００４５】
なお、カバー５３は、導電性を有するものに限らず、例えば非導電性の部材（例えば絶縁性部材、例えばアセテートテープ）でもよい。すなわち、カバー５３は、シールド効果を有しないものでもよい。
【００４６】
図５に示すように、カバー５３は、支持部材５２の長さＬよりも大きく、支持部材５２よりも広い範囲を覆っている。詳しく述べると、カバー５３は、支持部材５２の外周面と、第１部分４１の複数の電線５１の外周面とに亘って延びている。これにより、ケーブル２７の第１部分４１と第２部分４２との間には、比較的滑らかな第１スロープ６１が形成されている。第１スロープ６１は、支持部材５２から第１部分４１に向いて進むに従い、外径が徐々に細くなる。これにより、第１スロープ６１は、第１部分４１と第２部分４２との間の段差を滑らかに繋いでいる。
【００４７】
同様に、カバー５３は、支持部材５２の外周面と、第３部分４３の複数の電線５１の外周面とに亘って延びている。これにより、ケーブル２７の第３部分４３と第２部分４２との間には、比較的滑らかな第２スロープ６２が形成されている。第２スロープ６２は、支持部材５２から第３部分４３に向いて進むに従い、外径が徐々に細くなる。これにより、第２スロープ６２は、第３部分４３と第２部分４２との間の段差を滑らかに繋いでいる。
【００４８】
本実施形態では、支持部材５２としてのアセテートテープは、ヒンジ４ａの筒部３５の内径Ｄ２に対して１巻きまたは２巻き分の隙間を残して、複数の電線５１の外周面に巻かれている。そして、支持部材５２の外周面にカバー５３の一例としての導電布が、支持部材５２及び電線５１を覆うように巻かれている。図２及び図３に示すように、前記導電布は、例えば電線５１に対して螺旋状に巻かれている。
【００４９】
図２に示すように、ケーブル２７の外周面には、位置合わせに用いられるマーク６４が設けられている。マーク６４は、例えばケーブル２７の周方向に描かれたラインである。図３に示すように、マーク６４は、ケーブル２７の第２部分４２がヒンジ４ａの筒部３５内に位置した状態で、筒部３５の端部に略揃う位置に設けられている。このため、電子機器１の組立時において、マーク６４を筒部３５の端部に略揃えることで、ケーブル２７の第２部分４２をヒンジ４ａの筒部３５内の所定位置に位置合わせすることができる。
【００５０】
図６は、第１筐体２の内部を下方から見た図である。ここで、第１筐体２は、例えば金属製である。第１筐体２の内面６６（例えば周壁１３の内面）は、導電性を有する。導電性を有した第１筐体２の内面６６は、電子機器１のグランドの少なくとも一部を構成している。なおこれに代えて、第１筐体２は、例えば他の材料（例えば合成樹脂）で形成されるとともに、第１筐体２の内面６６に導電性の塗装やメッキなどが施されることで、導電性の内面６６を有してもよい。
【００５１】
図７に示すように、ケーブル２７の第１部分４１は、ヒンジ４ａから第１筐体２内に延びるとともに、反対側に折れ曲がって回路基板５に接続されている。すなわち、ケーブル２７の第１部分４１は、ヒンジ４ａと、第１コネクタ３８との間に、曲部７１（折曲部）を有する。
【００５２】
詳しく述べると、ケーブル２７の第１部分４１は、ヒンジ４ａから第１筐体２内に入るとともに、第１筐体２の周壁１３に沿って延びている。曲部７１の一部は、周壁１３に沿って位置し、周壁１３に接している。
【００５３】
第１筐体２は、周壁１３とは反対側からケーブル２７の曲部７１に接する支持部７２を有する。支持部７２の一例は、ヒンジ４ａの第１固定部３６が取り付けられるボスである。ケーブル２７の曲部７１は、支持部７２と周壁１３との間に通されている。換言すれば、ケーブル２７の曲部７１は、支持部７２を中心に折り曲げられている。支持部７２と周壁１３との間に隙間の幅は、ケーブル２７の第１部分４１の太さに対応した（略同じ）大きさを有する。このため、ケーブル２７の曲部７１は、支持部７２と周壁１３との間に挟まれて半固定された状態になる。
【００５４】
また、ケーブル２７の第２部分４２がヒンジ４ａの筒部３５に支持されているため、ケーブル２７の第１部分４１は、第１コネクタ３８とケーブル２７の第２部分とによって位置ずれが抑制されている。すなわち、第１コネクタ３８と、ケーブル２７の第２部分４２は、ケーブル２７の第１部分４１を第１筐体２の周壁１３の内面に確実に押し付ける支持部として作用する。これにより、ケーブル２７の第１部分４１は、第１筐体２を通じてグランドに電気的に接続されている。なお、図２に示すように、ケーブル２７の第１部分４１の一部は、導電性のカバー５３が多く巻かれて太く形成されてもよい。
【００５５】
このような構成によれば、電子機器１の組立性の向上を図ることができる。  
ここで比較のため、ケーブル２７の太さが全長に亘ってヒンジ４ａの筒部３５の内径Ｄ２よりも細い場合を考える。ケーブル２７は、例えばヒンジ４ａと予め組み合わされた状態（いわゆるヒンジアッシー、ヒンジ組立体）で運搬されることがある。この場合、ケーブル２７の太さがヒンジ４ａの筒部３５の内径Ｄ２よりも細いと、ケーブル２７に対してヒンジ４ａが遊んでしまう（例えば所定位置から大きくずれてしまう）可能性がある。
【００５６】
一方で、本実施形態に係る電子機器１は、第１筐体２と第２筐体３とを連結して筒部３５を有したヒンジ４ａと、ケーブル２７とを有する。ケーブル２７は、筒部３５の外部に位置した第１部分４１と、該第１部分４１よりも太く形成され、筒部３５内に位置して筒部３５の内面３５ａに接した第２部分４２とを有する。
【００５７】
このような構成によれば、ケーブル２７に対してヒンジ４ａが容易にずれることが抑制される。このため、電子機器１の組立時に、ケーブル２７とヒンジ４ａとの位置合わせを再度行う必要を減らすことができる。これにより、電子機器１の組立性を向上させることができる。また、本実施形態では、ケーブル２７が全長に亘って太いわけではなく、例えば第１部分４１はヒンジ４ａの筒部３５の内径Ｄ２よりも細い。このため、ヒンジ４ａの筒部３５の内側にケーブル２７を容易に通すことができる。
【００５８】
本実施形態では、ケーブル２７の第２部分４２と筒部３５の内面３５ａとの間には、ケーブル２７の第２部分４２が筒部３５から抜けることを抑制する摩擦力が作用する。これにより、ケーブル２７に対してヒンジ４ａが容易にずれることがさらに抑制される。このため、電子機器１の組立性をさらに向上させることができる。
【００５９】
本実施形態では、ケーブル２７は、複数の電線５１と、該複数の電線５１を囲む導電性のカバー５３とを有する。カバー５３は、第２部分４２で筒部３５の内面３５ａに接してヒンジ４ａを介してグランドに電気的に接続されている。
【００６０】
このような構成よれば、導電性のカバー５３を確実にグランドに電気的に接続することができる。このため、カバー５３の接地強度を高めることができ（接地構造の安定化を図ることができ）、カバー５３によるシールド効果を高めることができる。これにより、ケーブル２７からのノイズを低下させることができる。
【００６１】
図１に示すように、本実施形態では、ケーブル２７の近くに例えばアンテナ７４が存在する。このような場合、ケーブル２７からのノイズを低下させることができると、アンテナ性能の向上に寄与することができる。
【００６２】
本実施形態では、ケーブル２７は、第２部分４２で複数の電線５１の外周面に取り付けられた支持部材５２を有する。カバー５３は、支持部材５２の外周面と第１部分４１における複数の電線５１の外周面とに亘って延びて第１部分４１と第２部分４２との間にスロープを形成している。
【００６３】
このような構成によれば、第１部分４１と第２部分４２との間の鋭い段差が解消する。これにより、第２部分４２をヒンジ４ａの筒部３５の内側に挿入するときに、第１部分４１と第２部分４２との間の段差が筒部３５に引っ掛かりにくい。このため、第２部分４２をヒンジ４ａの筒部３５の内側に挿入しやすくなる。これは、電子機器１の組立性の向上に寄与する。
【００６４】
本実施形態では、支持部材５２は、複数の電線５１の外周面に巻かれたテープで形成されている。このような構成によれば、複数の電線５１の外周面に取り付ける支持部材５２を比較的簡単な構成で実現することができる。
【００６５】
本実施形態では、ケーブル２７の外周面には、第２部分４２が筒部３５内に位置した状態で筒部３５の端部に略揃うマーク６４が設けられている。このような構成によれば、マーク６４を目印にヒンジ４ａの筒部３５とケーブル２７の第２部分４２との位置合わせを容易に行うことができる。これは、電子機器１の組立性の向上に寄与する。
【００６６】
本実施形態では、ケーブル２７は、第１筐体２内でモジュールに電気的に接続されたコネクタ３８を有する。第１筐体２は、導電性の内面を有する。第１部分４１は、コネクタ３８と第２部分４２の間に位置し、第１筐体２の内面６６に接して第１筐体２を通じてグランドに電気的に接続されている。
【００６７】
このような構成によれば、カバー５３の接地強度を高めることができ、カバー５３によるシールド効果を高めることができる。これにより、ケーブル２７の周辺へのノイズを低下させることができる。
【００６８】
（第２実施形態）  
次に、図８を参照して、第２実施形態に係る電子機器１について説明する。なお、第１実施形態の構成と同一または類似の機能を有する構成は、同一の符号を付してその説明を省略する。また、下記に説明する以外の構成は、第１実施形態と同じである。
【００６９】
本実施形態では、支持部材５２は、カバー５３の外周面に取り付けられている。ケーブル２７の第２部分４２は、支持部材５２が設けられることで、第１部分４１及び第３部分４３に比べて太く形成されている。支持部材５２及びカバー５３は、導電性を有し、ヒンジ４ａを介してグランドに電気的に接続されている。
【００７０】
このような構成によっても、上記第１実施形態と同様に、ケーブル２７に対してヒンジ４ａが容易にずれることが抑制される。これにより、電子機器１の組立性を向上させることができる。
【００７１】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【００７２】
例えば、支持部材５２は、電線５１に巻かれたテープに限らず、例えば電線５１に取り付けられたゴムやスポンジ、またはその他の部材でもよい。マーク６４は、ケーブル２７の周方向に沿うラインに限らず、位置合わせに用いることができる種々の目印が適宜該当する。
【図１】
0006022034.tif 000002
【図２】
0006022034.tif 000003
【図３】
0006022034.tif 000004
【図４】
0006022034.tif 000005
【図５】
0006022034.tif 000006
【図６】
0006022034.tif 000007
【図７】
0006022034.tif 000008
【図８】
0006022034.tif 000009